(57)【要約】【課題】共鳴箱の空気温度の上昇を抑えることで、目的とする燃焼音中の特定周波数を低減して、燃焼音の静かな給湯装置を提供する。【解決手段】一方に燃焼バーナ２を備えると共に、他方にはこの燃焼バーナ２に対向して共鳴箱３を備え、この燃焼バーナ２と共鳴箱３間の外周を貯湯槽４としたもので、前記共鳴箱３には該共鳴箱３内の空気温度の上昇を抑制する空気温度調節手段を備えたので、共鳴箱３内の空気温度の上昇が抑えられ、密度、弾性率及び粘性率の変化を防止して、目的とする周波数の燃焼音を確実に消音出来、常に燃焼音の静かな給湯装置を提供出来るものである。又、もともとそこにある貯湯槽４内の湯水を利用しての共鳴箱３の冷却であるので、特別な構造を付加することなく、極めて簡単な構成で確実に冷却出来るものである。【選択図】  図１
2005134056.tif 000002
【特許請求の範囲】
【請求項１】
一方に燃焼バーナを備えると共に、他方にはこの燃焼バーナに対向して共鳴箱を備え、この燃焼バーナと共鳴箱間の外周を貯湯槽としたもので、前記共鳴箱には該共鳴箱内の空気温度の上昇を抑制する空気温度調節手段を備えた事を特徴とする給湯装置。
【請求項２】
前記空気温度調節手段は、共鳴箱外周まで延ばした貯湯槽の延長部分である事を特徴とする請求項１記載の給湯装置。
【請求項３】
前記空気温度調節手段は、共鳴箱内に備えられた冷却用熱交換器と、この冷却用熱交換器に冷却媒体を流す循環ポンプと、この循環ポンプを制御する共鳴箱内の温度を検出する温度センサとで構成した事を特徴とする請求項１記載の給湯装置。
【発明の詳細な説明】
【技術分野】
【０００１】
この発明は、台所や洗面所、浴室等に適宜給湯を行う給湯装置に関するものである。
【背景技術】
【０００２】
従来よりこの種のものでは、燃焼バーナと対向する壁面に共鳴箱を備えるとこで、特定周波数の燃焼音を低減しょうとするものであった。（例えば、特許文献１参照。）
【特許文献１】特開平８−２８８１２号公報
【発明の開示】
【発明が解決しようとする課題】
【０００３】
ところでこの従来のものでは、燃焼バーナの燃焼熱によって共鳴箱内の空気温度が上昇することで、空気の密度（質量）、弾性率（バネ定数）及び粘性率（粘性係数）から決まる固有振動数と、消音しょうとする周波数との間にずれが生じ、十分な消音効果を得ることが出来ないと言う問題点を有するものであった。
【課題を解決するための手段】
【０００４】
この発明はこの点に着目し上記問題点を解決する為、請求項１では、一方に燃焼バーナを備えると共に、他方にはこの燃焼バーナに対向して共鳴箱を備え、この燃焼バーナと共鳴箱間の外周を貯湯槽としたもので、前記共鳴箱には該共鳴箱内の空気温度の上昇を抑制する空気温度調節手段を備えたものである。
【０００５】
又請求項２では、前記空気温度調節手段は、共鳴箱外周まで延ばした貯湯槽の延長部分で構成したものである。
【０００６】
又請求項３では、前記空気温度調節手段は、共鳴箱内に備えられた冷却用熱交換器と、この冷却用熱交換器に冷却媒体を流す循環ポンプと、この循環ポンプを制御する共鳴箱内の温度を検出する温度センサとで構成したものである。
【発明の効果】
【０００７】
この請求項１の発明によれば、空気温度調節手段によって共鳴箱内の空気温度の上昇が抑えられ、密度、弾性率及び粘性率の変化を防止して、目的とする周波数の燃焼音を確実に消音出来、常に燃焼音の静かな給湯装置を提供出来るものである。
【０００８】
又請求項２によれば、もともとそこにある貯湯槽内の湯水を利用しての共鳴箱の冷却であるので、特別な構造を付加することなく、極めて簡単な構成で確実に冷却出来るものである。
【０００９】
又請求項３によれば、実際に共鳴箱内の温度を検出しながら熱交換器で冷却するので、正確に目的とする温度に保持することが出来、より確実に目標の周波数の燃焼音を消音することが出来、安心して使用出来るものである。
【発明を実施するための最良の形態】
【００１０】
次にこの発明の一実施形態を図１に基づいて説明する。
１は給湯装置の缶体で、上部にはガンタイプバーナから成る燃焼バーナ２が下向きに取り付けられており、対向する下部には共鳴箱３が備えられ、この両者間の缶体１内は湯水を貯湯する貯湯槽４としている。
【００１１】
前記共鳴箱３は所定体積の空間部５を形成するようにセラミックファイバー壁６で区画され、上面中央部には内外を結ぶ連通穴７が設けられ、燃焼音の周波数帯のうちピーク値の５００Ｈｚを低減するように、空間部５の容積、連通穴７の断面積及び厚さ及び直径が設定されている。
【００１２】
８は缶体１中央に備えられた煙道で、燃焼バーナ２と共鳴箱３を備えた燃焼室９とを結び、該燃焼室９に達した燃焼ガスは煙道８周囲に配置された複数の煙管１０からＵターンし、上部の燃焼バーナ２外周のサイレンサー部１１を通って排気されるものである。
【００１３】
１２は共鳴箱３外周部分まで貯湯槽４が延ばされた該貯湯槽４の延長部分で、貯湯する湯水及び外周部に備えた給水管１３から流入する給水によって、共鳴箱３の空間部５内の空気が燃焼熱で温度上昇することを抑制する空気温度調節手段を構成するものである。
【００１４】
次にこの一実施形態の作動を説明する。
今燃焼バーナ２を燃焼させれば、発生した燃焼熱が煙道８から燃焼室９を介して煙管１０を通り排気される途中で、貯湯槽４内の湯水と熱交換して該湯水を沸き上げるものであり、給湯栓（図示せず）の開栓で適宜給湯が行われるものである。
【００１５】
そして、この燃焼時には、燃焼音中の特定周波数が共鳴箱３によって低減されて消音されるので、燃焼音は静かになりるものであり、又この時に共鳴箱３は、空気温度調節手段である貯湯槽４の延長部分１２によって、冷却され空間部５内の空気は燃焼熱で温度上昇することがなく、即ち、貯湯槽４では比重の関係で温度上昇した湯水は上部に行き、温度が低いものは下部にあり、又燃焼熱と熱交換される側の湯水では大きな温度差があるので、貯湯槽４の延長部分１２でも十分に冷却効果があり、更に給湯で使用されれば、この延長部分１２に取り付けられた給水管１３から冷水が給水されるので、これによっても冷却効果を上げることが出来るものである。
【００１６】
従って、共鳴箱３内の空気温度の上昇が抑えられ、密度、弾性率及び粘性率の変化を防止して、目的とするピーク値の５００Ｈｚ周波数の燃焼音を確実に消音出来、常に燃焼音の静かな給湯装置を提供出来るものである。
【００１７】
次に図２に示す他の実施例について説明するが、図１と同一部分については、同一符号を付し説明を省略し、相違部分のみ説明する。
共鳴箱３の空間部５内には冷却用熱交換器１４が備えられ、循環ポンプ１５の駆動で水等の冷却媒体を流通させることで、空間部５内の空気の温度上昇を防止するもので、循環ポンプ１５は空間部５内の空気温度を検出するサーミスタから成る温度センサ１６によって、駆動を制御されるであり、この冷却用熱交換器１４及び循環ポンプ１５及び温度センサ１６で空気温度調節手段を構成するものである。
【００１８】
作動としては、温度センサ１６が空間部５内の温度が所定温度以上を検出することで、循環ボンプ１５を駆動させて冷却用熱交換器１４に冷却媒体を流して、空間部５内の空気温度の上昇を防止し、空間部５内が所定温度以下に低下することで、循環ポンプ１５の駆動を停止させ、これを燃焼中は順次繰り返して行うものであり、貯湯槽４の延長部分１２のなりゆきで行うよりは、はるかに正確で確実な冷却が行えるものである。
【図面の簡単な説明】
【００１９】
【図１】この発明の一実施形態を示す給湯装置の説明図。
【図２】他の実施例を示す給湯装置の説明図
【符号の説明】
【００２０】
１  缶体
２  燃焼バーナ
３  共鳴箱
４  貯湯槽
５  空間部
１２  延長部分（空気温度調節手段）
１４  冷却用熱交換器
１５  循環ポンプ
１６  温度センサ
【図１】
2005134056.tif 000003
【図２】
2005134056.tif 000004